(57)【要約】【課題】良好な設置が行える投写型表示装置を提供する。【解決手段】プロジェクタは、本体１００と、本体１００が引き出し自在に収容されるケース２００とを備える。本体１００には、光源部１２１からの光を変調する光変調部１２５と、光変調部１２５により変調された光が入射する投写レンズユニット１３１と、投写レンズユニット１３１を透過した光を反射して被投写面へと向かわせる反射ミラー１３２とが配される。本体１００の後面には、端子用ソケット１１３が設けられ、ケース２００の後面には、端子用ソケット１１３を外部に露出させる開口部２００ａが設けられる。本体１００が引き出された際に本体１００の後面とケース２００の後面との間に形成される空間に端子用ソケット１１３に接続された通信ケーブル３００の端子３０１が収容される。【選択図】図７
2012063464.tif 000002
【特許請求の範囲】
【請求項１】
投写型表示装置において、
装置本体と、当該装置本体が所定の引出方向に引き出し自在に収容されるケースとを備え、
前記装置本体内には、光源部からの光を変調する光変調部と、前記光変調部により変調された光が入射する投写レンズ部と、当該投写レンズ部を透過した光を反射して被投写面へと向かわせるミラー部と、が配され、
前記引出方向と反対側の前記装置本体の後面には、前記装置本体へデータを供給するための被接続体が接続される接続部が設けられ、
前記引出方向と反対側の前記ケースの後面には、前記接続部を外部に露出させる開口部が設けられ、
前記装置本体が引き出された際に前記装置本体の後面と前記ケースの後面との間に形成される空間に前記接続部に接続された前記被接続体が収容される、
ことを特徴とする投写型表示装置。
【請求項２】
請求項１に記載の投写型表示装置において、
前記接続部は、信号ケーブルの端子が接続される端子用接続部を含み、
前記ケースの後面に繋がる前記ケースの何れかの面には、前記信号ケーブルを通すための通し口が設けられる、
ことを特徴とする投写型表示装置。
【請求項３】
請求項１または２に記載の投写型表示装置において、
前記装置本体には、前記ケースにおける前記引出方向に沿う面が設置面に対面するように当該投写型表示装置が前記設置面に設置された際に、前記ケースから引き出された状態で前記設置面に接する脚部が設けられる、
ことを特徴とする投写型表示装置。
【請求項４】
請求項１ないし３の何れか一項に記載の投写型表示装置において、
前記引出方向と同じ側の前記装置本体の前部には、前記ミラー部からの光が出射される出射口が設けられ、
前記装置本体は、前記出射口が前記ケースの内部に収容されるまで前記ケースに収容される、
ことを特徴とする投写型表示装置。
【請求項５】
請求項１ないし４の何れか一項に記載の投写型表示装置において、
前記装置本体を、前記ケースから引き出された状態に保持する保持機構が設けられる、ことを特徴とする投写型表示装置。
【請求項６】
請求項５に記載の投写型表示装置において、
前記保持機構は、前記装置本体を前記ケースに収容された状態に保持する、
ことを特徴とする投写型表示装置。
【発明の詳細な説明】
【技術分野】
【０００１】
本発明は、光源からの光を変調して被投写面に投写する投写型表示装置に関し、特に、投写光を斜め方向から被投写面に投写するタイプの投写型表示装置に用いて好適なものである。
【背景技術】
【０００２】
従来、液晶プロジェクタ等の投写型表示装置（以下、「プロジェクタ」という）において、スクリーンとプロジェクタの距離を短くするために、投写光学系の広角化が図られている。また、かかる広角化とともに、プロジェクタから出射される投写光を斜め方向からスクリーンに投写させる、斜め投写の構成をとるプロジェクタが提案されている。
【０００３】
かかる構成のプロジェクタでは、たとえば、投写光学系として投写レンズユニットと反射ミラーが用いられ得る。この構成では、光変調素子上の画像が投写レンズユニットと反射ミラーとの間に中間像として結像され、この中間像が反射ミラーによって拡大投写される。これにより、投写距離の短縮が実現される（たとえば、特許文献１参照）。
【０００４】
上記構成のプロジェクタでは、投写光が斜め上方に向かって出射され、スクリーンに投写されるような姿勢で、プロジェクタが机や床等の設置面に設置され得る。さらに、上記構成のプロジェクタでは、投写光が斜め下方に向かって出射され、設置面自身に投写されるような姿勢で、プロジェクタが設置面に設置され得る。
【先行技術文献】
【特許文献】
【０００５】
【特許文献１】特開２００８−２５０２８３号公報
【発明の概要】
【発明が解決しようとする課題】
【０００６】
近年、手軽に持ち運んで様々な場所で画像を表示できるように、いわゆる手のひらサイズの超小型プロジェクタが開発されている。そこで、上記構成のプロジェクタを、超小型のもとのすることも考えられる。この場合、少なくともプロジェタが携帯されているときには、できるだけコンパクトであることが望ましい。
【０００７】
プロジェクタには、画像データを受け取るために、ＵＳＢケーブル等の信号ケーブルが接続されたり、ＳＤカード等のメモリーカードが接続されたりする。プロジェクタがコンパクト化されると、信号ケーブルの端子部分やメモリーカードを機器本体内に全て収容することができなくなり、その一部分が外部に張り出すことも起こり得る。
【０００８】
上記構成のプロジェクタでは、上述のように、プロジェクタが様々姿勢で設置面に設置され得るが、何れの設置形態においても、装置本体から張り出した端子やメモリーカードが邪魔にならないようにすることが求められる。
【０００９】
本発明は、かかる課題に鑑みてなされたものであり、良好な設置が行える投写型表示装置を提供することを目的とする。
【課題を解決するための手段】
【００１０】
本発明の投写型表示装置は、装置本体と、当該装置本体が所定の引出方向に引き出し自在に収容されるケースとを備える。前記装置本体内には、光源部からの光を変調する光変
調部と、前記光変調部により変調された光が入射する投写レンズ部と、当該投写レンズ部を透過した光を反射して被投写面へと向かわせるミラー部とが配される。ここで、前記引出方向と反対側の前記装置本体の後面には、前記装置本体へデータを供給するための被接続体が接続される接続部が設けられ、前記引出方向と反対側の前記ケースの後面には、前記接続部を外部に露出させる開口部が設けられる。そして、前記装置本体が引き出された際に前記装置本体の後面と前記ケースの後面との間に形成される空間に前記接続部に接続された前記被接続体が収容される。
【００１１】
本発明の投写型表示装置によれば、設置形態の一つとして、ケースの後面が設置面に対面するように投写型表示装置が設置面に設置される形態がとられ得る。この場合に、装置本体をケースから引き出した状態とすれば、接続部に接続された被接続体、たとえば、通信ケーブルの端子やメモリーカードが装置本体の後面とケースの後面との間に形成される空間に収容される。よって、被接続体が邪魔になりにくく、投写型表示装置を良好に設置することができる。
【００１２】
また、本発明の投写型表示装置によれば、不使用時には、装置本体をケース内に収容すれば、装置全体がコンパクトになるので、携帯しやすくなる。
【００１３】
本発明の投写型表示装置において、前記接続部は、信号ケーブルの端子が接続される端子用接続部を含み得る。この場合、前記ケースの後面に繋がる前記ケースの何れかの面には、前記信号ケーブルを通すための通し口が設けられる。
【００１４】
このような構成とすれば、ケースの後面が設置面によって塞がれても、通信ケーブルを外部に引き出すことができる。
【００１５】
本発明の投写型表示装置において、前記装置本体には、前記ケースにおける前記引出方向に沿う面が設置面に対面するように当該投写型表示装置が前記設置面に設置された際に、前記ケースから引き出された状態で前記設置面に接する脚部が設けられ得る。
【００１６】
このような構成とすれば、装置本体をケースから引き出すことにより、設置面への投写型表示装置の設置面積を増やすことができる。よって、投写型表示装置が設置面に設置された際に、安定性を良くすることができる。
【００１７】
本発明の投写型表示装置において、前記引出方向と同じ側の前記装置本体の前部には、前記ミラー部からの光が出射される出射口が設けられ得る。この場合、前記装置本体は、前記出射口が前記ケースの内部に収容されるまで前記ケースに収容される。
【００１８】
このような構成とすれば、出射口をケースによって保護することができる。
【００１９】
本発明の投写型表示装置において、前記装置本体を、前記ケースから引き出された状態に保持するための保持機構が設けられ得る。
【００２０】
このような構成とすれば、前記装置本体が、前記ケースから引き出された状態から動きにくくすることができる。よって、安定した投写動作が実現され得る。
【００２１】
この場合、さらに、前記保持機構は、前記装置本体を前記ケースに収容された状態に保持するような構成とされ得る。
【００２２】
このような構成とすれば、前記装置本体が、前記ケースに収容された状態から動きにくくすることができる。よって、前記装置本体を円滑に持ち運ぶことができる。
【発明の効果】
【００２３】
以上のとおり、本発明によれば、良好な設置が行える投写型表示装置を提供することができる。
【００２４】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２５】
【図１】実施の形態に係るプロジェクタの構成を示す図である。
【図２】実施の形態に係るプロジェクタの構成を示す図である。
【図３】実施の形態に係るプロジェクタの構成を示す図である。
【図４】実施の形態に係る光学エンジンの構成およびその他の変更例に係る光学エンジンの構成を示す図である。
【図５】実施の形態に係る保持機構の詳細な構成について説明するための図である。
【図６】実施の形態に係るプロジェクタが設置される設置面に画像を投写する設置形態でプロジェクタが設置された状態を示す図である。
【図７】実施の形態に係る設置面に対して垂直に配されたスクリーンに画像を投写する設置形態でプロジェクタが設置された状態を示す図（断面図）である。
【図８】変更例に係るプロジェクタについて説明するための図である。
【図９】変更例に係るプロジェクタについて説明するための図である。
【図１０】その他の変更例に係るプロジェクタについて説明するための図である。
【発明を実施するための形態】
【００２６】
以下、図面を参照して、本発明の実施の形態について説明する。
【００２７】
図１〜図３は、プロジェクタの構成を示す図である。図１（ａ）は、前方から見たプロジェクタの斜視図であり、図１（ｂ）は後方から見たプロジェクタの斜視図である。また、図２（ａ）は、ケース２００のみが断面で表わされた、図１（ａ）のＡ−Ａ´断面図である。図２（ｂ）、（ｃ）は、それぞれ、プロジェクタの上面図および底面図である。なお、説明の便宜上、図１（ａ）、（ｂ）には、ぞれぞれ、前後左右の方向を示す矢印および上下の方向を示す矢印が描かれている。以下、同様に、他の図面においても、必要に応じて、方向を示す矢印が描かれる。
【００２８】
本実施の形態のプロジェクタは、いわゆる手のひらサイズ（ポケットサイズ）の超小型プロジェクタである。本プロジェクタの幅、高さ、奥行きのサイズは、それぞれ、数十ｍｍ〜百数十ｍｍ程度とされている。また、重量は、百ｇ〜数百ｇ程度とされている。さらに、本プロジェクタは、後述するように、ＬＥＤ光源を備えており、その輝度は、数ルーメン（ｌｍ）〜数十ルーメン程度とされている。
【００２９】
プロジェクタは、本体１００と、本体１００を引き出し自在に収容するケース２００とを備えている。本体１００は、ケース２００から前方へ引き出される。
【００３０】
本体１００は、キャビネット１１０を備えている。キャビネット１１０は、左右に薄く、上下に長い直方体形状を有している。キャビネット１１０の前面には、後方に傾斜する第１傾斜面１１０ａと、第１傾斜面１１０ａに続いて前方へ傾斜する第２傾斜面１１０ｂが形成されている。第２傾斜面１１０ｂには、出光窓１１１が設けられている。出光窓１１１は、光を透過するカバーにより覆われている。キャビネット１１０の底面の前部には、四角形状を有する脚部１１２が形成されている。
【００３１】
キャビネット１１０の後部には、端子用ソケット１１３とメモリーカード用ソケット１１４とが設けられている。キャビネット１１０の後面には、端子用ソケット１１３に繋がる端子用接続口１１３ａとメモリーカード用ソケット１１４に繋がるメモリーカード用接続口１１４ａが形成されている。
【００３２】
図３（ａ）に示すように、通信ケーブル３００の端子３０１が、端子用接続口１１３ａを通じて端子用ソケット１１３に接続される。通信ケーブル３００は、たとえば、ＵＳＢケーブルである。本体１００は、通信ケーブル３００により、たとえばデジタルビデオカメラ等の外部機器と接続される。通信ケーブル３００を介して、外部機器から本体１００へ画像データ（画像信号）等が供給される。
【００３３】
また、図３（ｂ）に示すように、メモリーカード４００が、メモリーカード用接続口１１４ａを通じてメモリーカード用ソケット１１４に接続される。メモリーカード４００は、たとえば、ＳＤカードである。メモリーカード４００から本体１００へ画像データ（画像信号）等が供給される。
【００３４】
図２（ａ）に示すように、キャビネット１１０内には、光学エンジン１２０と、投写光学系１３０とが配されている。投写光学系１３０は、投写レンズユニット１３１と反射ミラー１３２とを備えている。キャビネット１１０内において、光学エンジン１２０、投写レンズユニット１３１および反射ミラー１３２は、上下方向に一列に並ぶように配される。このため、本体１００、即ち、プロジェクタは、上下方向に長い形状となる。
【００３５】
光学エンジン１２０は、入力された画像信号に基づく投写光を生成し、投写レンズユニット１３１へ出力する。投写レンズユニット１３１に入射した投写光は、投写レンズユニット１３１によってレンズ作用を受け、反射ミラー１３２に入射する。その後、投写光は、反射ミラー１３２によって広角化され、出光窓１１１を通じて外部に出射される。
【００３６】
図４（ａ）は、光学エンジン１２０の構成を示す図である。
【００３７】
光学エンジン１２０は、光源部１２１と、自由曲面レンズ１２２と、ＰＢＳアレイ１２３と、ＰＢＳ１２４と、光変調部１２５とを備えている。
【００３８】
光源部１２１は、白色光を発するＬＥＤからなる。光源部１２１から出射された光は、自由曲面レンズ１２２に入射される。自由曲面レンズ１２２は、入射された光が光変調部１２５に適正に照射されるよう、レンズ作用を付与する。自由曲面レンズ１２２から出射された光は、ＰＢＳアレイ１２３を通過することにより、ＰＢＳ１２４に対してＳ偏光となるよう偏光方向が揃えられる。ＰＢＳアレイ１２３を通過したＳ偏光の光は、ＰＢＳ１２４で反射され、光変調部１２５に照射される。
【００３９】
光変調部１２５は、ＲＧＢのカラーフィルタを有する反射型液晶パネルからなる。光変調部１２５は、ＲＧＢ各色のカラーフィルタを通過した赤色波長帯の光（以下、Ｒ光という）、緑色波長帯の光（以下、Ｇ光という）および青波長帯の光（以下、Ｂ光という）を、映像信号に基づいて画素毎に変調し反射する。
【００４０】
光変調部１２５から出射されたＲ光、Ｇ光およびＢ光は、その偏光方向に応じてＰＢＳ１２４を透過し、投写光として投写レンズユニット１３１に入射される。
【００４１】
なお、本体１００内には、図示しないバッテリーが備えられており、バッテリーから光源部１２１や光変調部１２５へ電力が供給される。
【００４２】
図１〜図３に戻り、ケース２００は、左右に薄く、上下に長い直方体形状を有するとともに、前面および後面が開放している。ケース２００の内側の上下左右の寸法は、本体１００の上下左右の寸法と略等しくされている。また、ケース２００の前後の寸法は、本体１００の前後の寸法と略等しくされている。このため、図１に示すように、本体１００がケース２００に完全に収容された状態では、本体１００の前面とケース２００の前面が略面一となり、本体１００の後面とケース２００の後面が略面一となる。
【００４３】
このとき、図１（ａ）に示すように、本体１００の出光窓１１１は、ケース２００の内部に収容された状態となる。よって、出光窓１１１がケース２００により保護される。また、図１（ｂ）に示すように、端子用接続口１１３ａ（端子用ソケット１１３）およびメモリーカード用接続口１１４ａ（メモリーカード用ソケット１１４）が、ケース２００の後面の開口部２００ａを通じて外部に露出する。
【００４４】
ケース２００の上面の後部には、通信ケーブル３００が通される通し口２０１が形成されている。また、ケース２００の底面の前部には、本体１００がケース２００に収容された際に、脚部１１２が収容される収容口２０２が形成されている。収容口２０２の形状は、脚部１１２と略等しくされている。
【００４５】
図２に示すように、本体１００とケース２００との間には、上側と下側に、それぞれ保持機構が設けられている。本体１００は、保持機構によって、ケース２００に完全に収容された状態（以下、「収容状態」という）と、使用時の位置までケース２００から引き出された状態（以下、「引き出し状態」という）に保持される。保持機構は、本体１００側に設けられるストッパー１４０と、ケース２００側に設けられる第１受部２０３および第２受部２０４とにより構成されている。
【００４６】
上側のストッパー１４０は、本体１００の上部において、前後方向における中央よりもやや後方であって、左右方向における略中央に設けられている。また、上側の第１受部２０３は、ケース２００の上面内側において、前後方向における中央よりもやや後方であって、左右方向における略中央に設けられている。さらに、上側の第２受部２０４は、ケース２００の上面内側において、前後方向における前端部であって、左右方向における略中央に設けられている。
【００４７】
一方、下側のストッパー１４０は、本体１００の底部において、前後方向における後端部であって、左右方向における略中央に設けられている。また、下側の第１受部２０３は、ケース２００の底面内側において、前後方向における後端部であって、左右方向における略中央に設けられている。さらに、下側の第２受部２０４は、ケース２００の底面内側において、前後方向における中央よりもやや前方であって、左右方向における略中央に設けられている。
【００４８】
図５は、保持機構の詳細な構成について説明するための図である。図５（ａ）は、本体１００が収容状態にあるときのプロジェクタの底部の拡大断面図である。図５（ｂ）は、本体１００が収容状態から前方に少し引き出された状態にあるときのプロジェクタの底部の拡大断面図である。図５では、本体１００は、ストッパー１４０の周囲のみが断面で表わされている。
【００４９】
以下、下側の保持機構の構成について、図５に基づき詳述するが、上側の保持機構の構成についても下側の保持機構の構成と同様である。
【００５０】
ストッパー１４０は、球体１４１と、押え板１４２と、コイルバネ１４３を備えている
。球体１４１、押え板１４２およびコイルバネ１４３は、ハウジング１４４内に収容されている。球体１４１は、押え板１４２を介してコイルバネ１４３により下方に押さえ付けられている。球体１４１の下のキャビネット１１０の底面には、丸孔１１６が形成されている。丸孔１１６は、球体１４１の直径よりも少し小さな直径を有する。第１受部２０３および第２受部２０４は、球体１４１と同様な形状の窪みである。
【００５１】
図５（ａ）に示すように、本体１００が収容状態にあるときには、ストッパー１４０の位置と第１受部２０３の位置とが一致するため、コイルバネ１４３に押された球体１４１が第１受部２０３に嵌り込む。これにより、本体１００が収容状態に保持され、多少の外力が前方へ加えられても、本体１００が前方に動かなくなる。よって、ユーザがプロジェクタを携帯している際に、本体１００が不用意にケース２００から出てしまうことはない。なお、収容状態では、脚部１１２の後端１１２ａが収容口２０２の後縁２０２ａに当接しているため、本体１００は後方に動かない。
【００５２】
ユーザによって、ある程度強い力で本体１００が前方へ押されると、球体１４１がコイルバネ１４３の押付力に逆らって、第１受部２０３の内面を上方へ移動する。こうして、ストッパー１４０の位置が第１受部２０３の位置から外れると、図５（ｂ）に示すように、球体１４１全体がハウジング１４４内に入り込む。これにより、本体１００が、ストッパー１４０に規制されることなく前方へ動けるようになる。
【００５３】
その後、本体１００がさらに前方へ移動され、本体１００が引き出し状態となると、ストッパー１４０の位置と第２受部２０４の位置とが一致するため、図５（ｂ）に一点鎖線にて示すように、球体１４１が第２受部２０４に嵌り込む。これにより、本体１００が引き出し状態に保持され、多少の外力が前後方向へ加えられても、本体１００が前後方向に動かなくなる。
【００５４】
図６は、プロジェクタが設置される設置面に画像を投写する設置形態でプロジェクタが設置された状態を示す図である。図６（ａ）は、前方から見た斜視図であり、図６（ｂ）は、ケース２００のみが断面で表わされた、図６（ａ）のＢ−Ｂ´断面図である。
【００５５】
ユーザは、机や床などプロジェクタを設置する設置面をスクリーンとして利用したい場合、図６に示すように、ケース２００の底面が設置面に対面するような姿勢で、プロジェクタを設置面上に設置する。この設置形態は、プロジェクタが縦に長い状態で設置されているため、以下、この設置形態を縦置き設置と称する。出光窓１１１から出射された投写光は、下斜め前方に向かい、プロジェクタ前方の設置面上に投写される。
【００５６】
縦置き設置された際、本体１００は、ケース２００から引き出され、引き出し状態とされる。これにより、ケース２００の底面に加えて、本体１００の脚部１１２の底面が設置面に接する状態となるため、本体１００が収容状態にある場合に比べて、脚部１１２の底面分だけ設置面積が増加する。よって、プロジェクタの安定性を良くすることができる。
【００５７】
また、引き出し状態において、端子用ソケット１１３に通信ケーブル３００の端子３０１が接続された場合には、図６（ｂ）に示すように、端子３０１が本体１００の後面とケース２００の後面との間の空間に収容される。また、メモリーカード用ソケット１１４にメモリーカード４００が接続された場合も、図６（ｂ）の一点鎖線に示すように、メモリーカード４００が本体１００の後面とケース２００の後面との間の空間に収容される。
【００５８】
これにより、端子３０１と端子用ソケット１１３（メモリーカード４００とメモリーカード用ソケット１１４）との接続部分がケース２００により保護される。よって、接続部分に何か当たるなどして端子３０１や端子用ソケット１１３（メモリーカード４００やメ
モリーカード用ソケット１１４）が破損するのを防止できる。
【００５９】
図７は、設置面に対して垂直に配されたスクリーンに画像を投写する設置形態でプロジェクタが設置された状態を示す図（断面図）である。図７では、ケース２００のみが断面で表わされている。
【００６０】
ユーザは、設置面の前方に用意されたスクリーンに画像を投写する場合、ケース２００の後面が設置面に対面するような姿勢で、プロジェクタを設置面上に設置する。この設置形態は、プロジェクタが横に長い状態で設置されているため、以下、この設置形態を横置き設置と称する。出光窓１１１から出射された投写光は、上斜め前方に向かい、プロジェクタ前方のスクリーン上に投写される。
【００６１】
横置き設置された際、本体１００は、ケース２００から引き出され、引き出し状態とされる。このとき、本体１００には自重が加わるが、本体１００は、保持機構（ストッパー１４０および第２受部２０４）により、引き出し状態に保持される。よって、安定した投写動作が実現され得る。なお、本実施の形態では、横置き設置された状態で多少の衝撃が加わっても、本体１００が自重によって落下しないように、ストッパー１４０のコイルバネ１４３の強さが設定されている。
【００６２】
また、引き出し状態において、端子用ソケット１１３に通信ケーブル３００の端子３０１が接続された場合には、図７に示すように、端子３０１が本体１００の後面とケース２００の後面との間の空間に収容される。このとき、通信ケーブル３００は、通し口２０１から外部に引き出される。また、メモリーカード用ソケット１１４にメモリーカード４００が接続された場合も、図７の一点鎖線に示すように、メモリーカード４００が本体１００の後面とケース２００の後面との間の空間に収容される。
【００６３】
これにより、端子３０１やメモリーカード４００が横置き設置の際に邪魔にならない。よって、プロジェクタを良好に設置することができる。
【００６４】
プロジェクタの使用が終わると、ユーザは、図１に示すように、本体１００をケース２００内に収容する。収容状態ではプロジェタがコンパクトになるので、ユーザが携帯しやすい。
【００６５】
＜変更例＞
図８は、変更例に係るプロジェクタの構成を示す図である。図８（ａ）は、収容状態にあるプロジェクタの斜視図である。図８（ｂ）は、引き出し状態にあるプロジェクタの斜視図である。図８（ｃ）は、ケース２００のみが断面で表わされた、図８（ａ）のＣ−Ｃ´断面図である。
【００６６】
上記実施の形態では、キャビネット１１０（本体１００）およびケース２００が、左右に薄く、上下に長い直方体形状とされている。しかしながら、本変更例のように、キャビネット１１０およびケース２００が、上下に薄く、前後に長い直方体形状とされてもよい。この場合、図９（ｃ）に示すように、キャビネット１１０内において、光学エンジン１２０、投写レンズユニット１３１および反射ミラー１３２は、前後方向に一列に並ぶように配される。また、本体１００の上面の前部に第１傾斜面１１０ａおよび第２傾斜面１１０ｂが形成され、第２傾斜面１１０ｂに出光窓１１１が形成される。
【００６７】
図９（ａ）は、設置面に対して垂直に配されたスクリーンに画像を投写する設置形態でプロジェクタが設置された状態を示す図（断面図）である。図９（ｂ）は、設置面に画像を投写する設置形態でプロジェクタが設置された状態を示す図（断面図）である。図９（
ａ）、（ｂ）では、ケース２００のみが断面で表わされている。
【００６８】
本変更例では、設置面に対して垂直に配されたスクリーンに画像を投写する場合には、図９（ａ）に示すように、ケース２００の底面が設置面に対面するような姿勢で、プロジェクタが設置面上に設置される。上記実施の形態と同様、引き出し状態では、ケース２００の底面に加えて、本体１００の脚部１１２の底面が設置面に接する状態となる。よって、プロジェクタの安定性を良くすることができる。
【００６９】
また、通信ケーブル３００の端子３０１やメモリーカード４００が本体１００の後面とケース２００の後面との間の空間に収容される。よって、端子３０１と端子用ソケット１１３（メモリーカード４００とメモリーカード用ソケット１１４）との接続部分がケース２００により保護される。
【００７０】
一方、設置面に画像を投写する場合には、図１０（ｂ）に示すように、ケース２００の後面が設置面に対面するような姿勢で、プロジェクタが設置面上に設置される。
【００７１】
上記実施の形態と同様、本体１００が、保持機構（ストッパー１４０および第２受部２０４）により、引き出し状態に保持される。また、通信ケーブル３００の端子３０１やメモリーカード４００が本体１００の後面とケース２００の後面との間の空間に収容される。これにより、端子３０１やメモリーカード４００が設置の際に邪魔にならない。よって、プロジェクタを良好に設置することができる。
【００７２】
＜その他＞
本発明の実施形態は、上記実施の形態や変更例以外に、さらに種々の変更が可能である。
【００７３】
たとえば、上記実施の形態では、ケース２００の後面全面に亘って開口部２００ａが形成されている。しかしながら、これに限らず、図１０（ａ）に示すように、端子用ソケット１１３およびメモリーカード用ソケット１１４の周りにのみ開口部２００ａが形成されても良い。
【００７４】
また、上記実施の形態では、第２受部２０４が、上側と下側にそれぞれ一つずつ形成されている。しかしながら、図１０（ｂ）に示すように、引出方向に所定の間隔で複数形成されても良い。このような構成とすれば、横置き設置された際に、本体１００の高さ調整を行うことができ、スクリーン上の画像の高さを調整することができる。
【００７５】
さらに、上記実施の形態では、保持機構（ストッパー１４０、第１受部２０３および第２受部２０４）が、上側と下側にそれぞれ１ずつ設けられている。しかしながら、これに限らず、保持機構が、上側に２つ（左右１つずつ）、下側に２つ（左右１つずつ）設けられても良い。さらに、本体１００を十分に保持できるのであれば、上側または下側に、一つだけ保持機構が設けられても良い。
【００７６】
また、上記実施の形態では、通信ケーブル３００を通す通し口２０１が、ケース２００の上面後部に設けられているが、左右の側面や底面に設けられても良い。
【００７７】
さらに、上記実施の形態では、本体１００の後部に、端子用ソケット１１３とメモリーカード用ソケット１１４とが設けられている。しかしながら、何れか一方のソケットのみが設けられても良い。また、端子用ソケット１１３とメモリーカード用ソケット１１４以外のソケットが設けられても良い。
【００７８】
また、図４（ａ）に示す光学エンジン１２０に替えて、図４（ｂ）に示す光学エンジン１５０を用いることもできる。
【００７９】
図４（ｂ）に示すように、光学エンジン１５０は、３つの光源部１５１Ｒ、１５１Ｇ、１５１Ｂを備えている。光源部１５１Ｒは、Ｒ光を発するＬＥＤからなる。また、光源部１５１Ｇは、Ｇ光を発するＬＥＤからなり、光源部１５１Ｂは、Ｂ光を発するＬＥＤからなる。各光源部１５１Ｒ、１５１Ｇ、１５１Ｂからは、時分割で光が出射される。
【００８０】
光源部１５１Ｒから出射されたＲ光は、レンズ１５２Ｒを通ってダイクロイックミラー１５３に入射する。ダイクロイックミラー１５３は、Ｂ光およびＧ光を反射し、Ｒ光を透過する。Ｒ光は、ダイクロイックミラー１５３を透過して、フライアイレンズアレイ１５６に入射する。
【００８１】
光源部１５１Ｇから出射されたＧ光は、レンズ１５２Ｇを通ってダイクロイックミラー１５４に入射する。ダイクロイックミラー１５４は、Ｇ光を反射し、Ｂ光を透過する。Ｇ光は、ダイクロイックミラー１５４で反射され、さらにダイクロイックミラー１５３で反射されて、フライアイレンズアレイ１５６に入射する。
【００８２】
光源部１５１Ｂから出射されたＢ光は、レンズ１５２Ｂを通ってミラー１５５で反射される。そして、ダイクロイックミラー１５４を透過し、さらにダイクロイックミラー１５３で反射されて、フライアイレンズアレイ１５６に入射する。
【００８３】
フライアイレンズアレイ１５６は、一対のレンズからなり、各レンズは、蠅の目状に配された多数のセルから構成されている。これらセルによって入射された光（Ｒ光、Ｂ光、Ｇ光）が分割される。分割された各光は、コンデンサレンズ１５７のレンズ作用およびミラー１５８での反射により、ＤＭＤ１５９に重畳される。これにより、ＤＭＤ１５９に照射される光の光量分布が均一化される。
【００８４】
ＤＭＤ１５９は、個々に各々独立駆動するマイクロミラーを含み、時分割で照射されるＲ光、Ｇ光およびＢ光を、映像信号に基づいて変調する。変調されたＲ光、Ｇ光およびＢ光は、順次、投写レンズユニット１３１に入射する。
【００８５】
Ｒ光、Ｇ光およびＢ光の出射の切り替えは、非常に高速で行われため、投写されたＲ光、Ｇ光およびＢ光は、被投写面上で合成され、ユーザの目には一つのカラー画像として映る。
【００８６】
この他、本発明の実施の形態は、特許請求の範囲に示された技術的思想の範囲内において、適宜、種々の変更が可能である。
【符号の説明】
【００８７】
１００  本体（装置本体）
１１１  出光窓（出射口）
１１２  脚部
１１３  端子用ソケット（端子用接続部、接続部）
１１３ａ  端子用接続口（端子用接続部、接続部）
１１４  メモリーカード用ソケット（接続部）
１１４ａ  メモリーカード用接続口（接続部）
１２１  光源部
１２５  光変調部
１３１  投写レンズユニット（投写レンズ部）
１３２  反射ミラー（ミラー部）
１４０  ストッパー（保持機構）
２００  ケース
２００ａ  開口部
２０１  通し口
２０３  第１受部（保持機構）
２０４  第２受部（保持機構）
３００  通信ケーブル
３０１  端子（被接続体）
４００  メモリーカード（被接続体）
【図１】
2012063464.tif 000003
【図２】
2012063464.tif 000004
【図３】
2012063464.tif 000005
【図４】
2012063464.tif 000006
【図５】
2012063464.tif 000007
【図６】
2012063464.tif 000008
【図７】
2012063464.tif 000009
【図８】
2012063464.tif 000010
【図９】
2012063464.tif 000011
【図１０】
2012063464.tif 000012